(57)【要約】【課題】  点検整備において球皿に排出された遊技球を簡単に且つ手間なく回収する。【解決手段】  固定保持用の外枠２０と、外枠の開放空間を覆って装着される前枠３０と、前枠の前面側に入賞装置を備えて取り付けられた遊技盤３５と、遊技盤の前面の遊技領域ＰＡ内に遊技球を発射する発射ハンドル４５と、遊技球が遊技領域ＰＡ内で入賞したときに払い出される遊技球を貯留する球皿装置４０、５０とを有してパチンコ機ＰＭが構成され、外枠２０に前枠３０が装着された状態で、前枠３０より下側において前面に露出する幕板７１を有する球排出ガイド装置７０が外枠に設けられている。幕板７１は、前枠より下面側における外枠の前面を覆う閉塞位置と、この閉塞位置から前方に移動した開放位置とに移動可能であり、幕板７１の後面に、開放位置に位置したときに球皿から排出された遊技球を受容するとともに遊技機の背面側に排出させる球排出ガイド部材７２が取り付けられている。【選択図】  図７
2005287859.tif 000002
【特許請求の範囲】
【請求項１】
固定保持用の外枠と、前記外枠の開放空間を覆って装着される前枠と、前記前枠の前面側に入賞装置を備えて取り付けられた遊技盤と、前記前枠に取り付けられて前記遊技盤の前面の遊技領域内に遊技球を発射する発射装置と、前記前枠に取り付けられて前記発射装置から発射された遊技球が前記遊技領域内で入賞したときに払い出される遊技球を貯留する球皿とを有して構成される弾球遊技機において、
前記外枠に前記開放空間を覆って前記前枠が装着された状態で、前記前枠より下側において前面に露出する幕板部が前記外枠に設けられており、
前記幕板部が、前記前枠より下面側における前記外枠の前面を覆う閉塞位置と、前記閉塞位置から前方に変移した開放位置とに変移可能であり、
前記幕板部の後面に、前記幕板部が前記開放位置に位置したときに前記球皿から排出された遊技球を受容するとともに遊技機の背面側に排出させる球排出ガイド部材が取り付けられていることを特徴とする弾球遊技機。
【請求項２】
前記幕板部は弾球遊技機の点検、整備等のときに前記開放位置に変移されて使用され、点検、整備時に前記球皿に排出された遊技球を前記球排出ガイド部材を介して弾球遊技機の背面側に排出させるように構成されていることを特徴とする請求項１に記載の弾球遊技機。
【請求項３】
前記幕板部は遊技中に前記閉塞位置に変移されて使用され、且つ遊技中において前記幕板部を変移させることができないようにロック保持されることを特徴とする請求項１に記載の弾球遊技機。
【発明の詳細な説明】
【技術分野】
【０００１】
本発明は、固定保持用の外枠の開放空間を覆って前枠が装着され、この前枠の前面側に入賞装置を備えて遊技盤が取り付けられ、この遊技盤の前面の遊技領域内に遊技球を発射する発射装置が前枠に設けられ、発射装置から発射された遊技球が遊技領域内で入賞したときに払い出される遊技球を球皿に貯留するように構成される弾球遊技機に関する。
【背景技術】
【０００２】
このような弾球遊技機として、例えば、特許文献１に開示のパチンコ機があり、一般的にこのようなパチンコ機が遊技ホール内に多数整列配置されて遊技に供される。遊技ホールにおいて遊技者は、多数整列配置されたパチンコ機のうちから任意のパチンコ機を選択し、遊技球を購入した後にこの遊技球を発射装置により遊技領域内に発射して、遊技領域内で遊技球を入賞装置に入賞させる遊技を楽しむようになっている。この遊技において、入賞装置に遊技球が入賞するのに応じて所定の数の遊技球が賞球として球皿に排出されて貯留されるようになっており、遊技者は球皿に貯留した球を遊技ホールが提供する景品と交換できるようになっている。
【０００３】
一方、遊技ホールにおいては各パチンコ機について定期的な点検整備を行い、パチンコ機を良好な状態に保って遊技者が不都合、不便なく遊技を行えるようにしている。このような点検整備に際しては、遊技領域内の入賞装置に遊技球を投入して賞球の排出が正常に行われるか否かの点検を行ったり、パチンコ機の裏面に設けられた賞球排出機構を作動させてこれらが正常に作動するか否かの点検を行ったりする。
【０００４】
【特許文献１】特許第３２５６８５５号公報
【発明の開示】
【発明が解決しようとする課題】
【０００５】
ところで、上記のような遊技ホールでの点検整備に際して遊技球が球皿に排出されるが、このようにして球皿に貯留される遊技球は賞球ではないため、点検整備が終了後に球皿から回収されて球皿を空にして実際の遊技が可能な状態にする。このとき、遊技ホール内には多数のパチンコ機が配設されており、これら多数のパチンコ機の点検整備の都度、各パチンコ機毎について球皿に排出された遊技球を回収する作業が必要であり、点検整備作業が繁雑で時間がかかる作業となっているという問題がある。
【０００６】
本発明はこのような問題に鑑みたもので、点検整備において球皿に排出された遊技球を簡単に且つ手間なく回収できるような構成の弾球遊技機（パチンコ機）を提供することを目的とする。
【課題を解決するための手段】
【０００７】
このようなことから、本発明に係る弾球遊技機は、固定保持用の外枠と、この外枠の開放空間を覆って装着される前枠と、この前枠の前面側に入賞装置を備えて取り付けられた遊技盤と、前枠に取り付けられて遊技盤の前面の遊技領域内に遊技球を発射する発射装置と、前枠に取り付けられて発射装置から発射された遊技球が遊技領域内で入賞したときに払い出される遊技球を貯留する球皿とを有して構成され、外枠に開放空間を覆って前枠が装着された状態で、前枠より下側において前面に露出する幕板部が外枠に設けられている。さらに、幕板部が、前枠より下面側における外枠の前面を覆う閉塞位置と、この閉塞位置から前方に変移（移動）した開放位置とに変移可能であり、幕板部の後面に、幕板部が開放位置に位置したときに球皿から排出された遊技球を受容するとともに遊技機の背面側に排出させる球排出ガイド部材が取り付けられている。
【０００８】
このような構成の弾球遊技機において、幕板部は弾球遊技機の点検、整備等のときに開放位置に変移（移動）されて使用され、点検、整備時に球皿に排出された遊技球を球排出ガイド部材を介して弾球遊技機の背面側に排出させ、遊技中には閉塞位置に変移されて使用され、且つ遊技中において幕板部を変移させることができないようにロック保持される。
【発明の効果】
【０００９】
上記構成の本発明に係る弾球遊技機によれば、閉塞位置と開放位置とに変移可能な幕板の後面に球排出ガイド部材が取り付けられているので、弾球遊技機の点検整備等に際しては、幕板を開放位置に変移させれば、球皿に排出される遊技球を球皿から幕板の後面に取り付けられた球排出ガイド部材を介して遊技機の背面側に排出させることができ、遊技球の回収が簡単且つ容易となる。このため、点検整備において球皿に排出された遊技球を簡単に且つ手間なく回収でき、点検整備作業の効率化を図ることができる。また、遊技中においては、幕板を閉塞位置に位置させてロック保持すれば、幕板は従来の弾球遊技機と同一の構成となって邪魔になることもなく、従来と全く同様の遊技を何の支障もなく行うことができる。
【発明を実施するための最良の形態】
【００１０】
以下、図面を参照して本発明の好ましい実施形態について説明する。まず、図１〜図３に遊技ホールにおけるパチンコ機ＰＭの配置構成を示しており、遊技ホール内においては、複数列に並んで多数のパチンコ機ＰＭが配設されて遊技に供されるようになっている。このようにパチンコ機ＰＭを整列配置する構造物を一般的に遊技島と称しており、パチンコ機ＰＭを背中合わせに２列に並んで配置する両列島形式と、壁に背を向けるように１列に並んで配置する壁島形式とがあるが、ここでは両列島形式の遊技島構造を示している。
【００１１】
この両列遊技島構造は、背中合わせに配置されて間に球回収空間５を形成する一対の島構造体１０，１０を有し、各島構造体１０は、天井側から順に配設された、島幕板１１と、呼び出しランプ１２ａを有したランプ板１２と、パチンコ機ＰＭを横に１列に並んで配設する保持枠１３と、球箱載せ台となる天板１４と、腰板１５と、床面に接する巾木１６とからなり、上下に延びた状態に構成される。遊技ホール内には、このような両列遊技島構造が複数列並んで配設され、さらに、壁際には壁遊技島構造が配設されており、各遊技島構造の間に遊技者等が通る通路スペース１が形成される。
【００１２】
なお、通路スペース１の床面には、各パチンコ機ＰＭの前側に位置して支柱１８により支持されたシート１７が設けられており、遊技者はシート１７に座ってその前面のパチンコ機ＰＭを操作して遊技を行うようになっている。また、球回収空間５内には、後述するように遊技中において入賞せずにアウト口に入り込んだアウト球をホール側に回収するための、回収通路６が設けられている。この回収通路６は各パチンコ機ＰＭから排出された球Ｂ（アウト球）を一方の側に集めて回収できるように、遊技島構造の列が延びる方向のいずれか一方側に傾斜しており、回収通路６内に落下した球Ｂがこの傾斜に沿っていずれか一方側に転がって集まるようになっている。
【００１３】
次に、島構造体１０の保持枠１３に保持されて取り付けられるパチンコ機ＰＭの構成について簡単に説明する。パチンコ機ＰＭは、外郭方形枠サイズに構成されて縦向きの固定保持枠をなす外枠２０の前面開口に、これに合わせた方形枠サイズに構成されて開閉搭載用の前枠３０が前面左側のヒンジ機構３１により横開き開閉および着脱が可能に取り付けられ、施錠装置３２により常には外枠２０の前面を覆った閉止状態で保持される。
【００１４】
上記外枠２０は、木材や樹脂等で成形加工された複数本の定形尺の枠部材すなわち上下の枠板２１，２４および左右の枠板２２，２３を直角に枠組み連結するとともに、各隅角部に補強金具を固定して構成されており、保持枠１３内に固定される。下枠板２４の前面は左右の枠板２２，２３より前方に突出し、その突出部の上面に位置するとともに左右の枠板２２，２３の前面に位置して左右に延びる幕板７１からなる球排出ガイド装置７０が取り付けられている。
【００１５】
前枠３０の前面上部側には、透明アクリル板やガラス板を有したガラス扉３３が左端部のヒンジ（図示せず）を介して横開きおよび着脱が自在に取り付けられ、施錠装置３２により常には前枠３０の前面を覆う閉止状態に保持される。ガラス扉３３の背後に位置する前枠上部には、遊技盤３５を着脱自在に収容する収容枠が設けられており、この収容枠に立設姿勢で係止保持された遊技盤３５がガラス扉３３を通して視認されるようになっている。遊技盤３５は、所定板厚の積層合板の表面にセルを貼り付けてルーター加工した化粧板を基板とし、円弧状のレール３６に囲まれて略円形状の遊技領域ＰＡが形成されている。遊技領域ＰＡには多数本の遊技釘（図示せず）や風車とともに各種の入賞具３８、遊技の展開状況に応じた図柄を表示させる画像表示装置３７、サイドランプ等の遊技構成部品が取り付けられ、下端部にアウト口３９が設けられている。
【００１６】
前枠３０の前面における上記ガラス扉３３の下側には、上球皿装置４０が左端のヒンジ機構により横開きおよび着脱可能に取り付けられ、常にはガラス扉３３の下側において前枠３０の前面を覆った状態で係止保持されている。この上球皿装置４０には、前方に突出して形成され、遊技中に払い出される入賞球を受容して貯留する上球皿部４１が設けられている。なお、詳細図示しないが、上球皿部４１に前面側が覆われた前枠２の下部領域には遊技補助盤と称される補助機構部が形成されており、この遊技補助盤の各部に、遊技盤３５の遊技領域ＰＡ内に遊技球を発射する発射装置や、スピーカ等が設けられている。
【００１７】
さらに、図４に示すように、前枠３０の前面における上球皿装置４０の下側に下球皿装置５０が前方に突出して設けられている。この下球皿装置５０は、上球皿部４１内に貯留された入賞球がオーバーフローしたときや、遊技者が上球皿装置４０の球排出レバー４２（図１参照）を操作して上球皿部４１から入賞球が排出されたときに内部に形成された球皿通路を介して送られてくる入賞球を受容して貯留する下球皿部５１と、下球皿部５１の右側に位置して遊技球の発射操作を行う発射ハンドル４５と、下球皿部５１の左側に位置する灰皿５８とから構成されている。
【００１８】
図７から分かるように、下球皿部５１内の底面には球排出孔５１ａが形成されており、この球排出孔５１ａを下面側から開閉自在に覆う球抜き蓋５３が左右にスライド移動可能に取り付けられている。球抜き蓋５３は図示しないバネ等により常時は球排出孔５１ａを閉止する位置に位置しており、球抜き蓋５３の前部に突出して設けられた操作レバー５３ａを操作することにより球抜き蓋５３をスライド移動させて球排出孔５１ａを開放させ、下球皿部５１内に貯留された遊技球を下方に落下させて排出させることができるように構成されている。なお、下球皿装置５０の下側に上記球排出ガイド装置７０を構成する幕板７１が前面側に露出して位置している。
【００１９】
前枠３０の裏面側には、球貯留タンク６１、球貯留タンク６１から供給された遊技球を落下移動させつつ整列させるタンクレール６２、遊技盤３３における入賞状態等に基づいてタンクレール６２を通ってタンク６１から供給される遊技球を賞球として払い出す球払出装置６３、遊技中での各種制御を行うための電源基板６４、主基板６５、画像表示装置３７の裏面側に位置して画像表示制御を行う画像制御基板６６等が図示のように配設されている。なお、図示していないが、内部には、球払出装置６３から払い出された賞球を上球皿部４１に導く賞球通路や、遊技中において遊技盤３５の入賞具３８に入賞することなく落下してアウト口３９に入り込んだ遊技球をパチンコ機ＰＭの背面側に導くアウト球通路が設けられている。このアウト球通路を導かれたアウト球Ｂはパチンコ機ＰＭの背面に開口したアウト球排出口３９ａから球回収空間５に排出され、回収通路６上に落下し、回収通路６上を転がって移動して、回収される。
【００２０】
以上の構成のパチンコ機ＰＭにおいて、本発明に係る第１実施形態としての上記球排出ガイド装置７０について、図４〜図７を参照して説明する。
【００２１】
図５および図６から分かるように、幕板７１は左端部において蝶番７１ａを介して左枠板２２の前端に連結されており、蝶番（ヒンジ）７１ａを中心として右端部が前後に移動するように開閉揺動自在となっている。この幕板７１の後面に球排出ガイド部材７２が固設されている。球排出ガイド部材７２は前面壁７３ａ、左右側面壁７３ｂ，７３ｃ、底面壁７３ｄを有して構成されており、これら壁に囲まれて上面および後面が開孔した樋状空間７２ａが形成され、前面壁７３ａが幕板７１の後面に接合されて取り付けられている。なお、右側面壁７３ｃは図示のように円弧状に形成され、その後端に外側方に突出するストッパ突起７４ａが形成されており、後部および前部上端面に上方に突出する小突起７４ｂ，７４ｃが形成されている。
【００２２】
一方、幕板７１が蝶番７１ａを中心として揺動されるときにこの球排出ガイド部材７２を受け入れることが可能な位置に位置して下枠板２４の上面にガイド壁７５が設けられている。ガイド壁７５は、左右側壁部７５ａ，７５ｂおよび底壁部７５ｃからなり、これら壁部７５ａ，７５ｂ，７５ｃに囲まれて前後に延びる上方に開放したＵ字状の溝空間内に球排出ガイド部材７２が位置する。右側壁部７５ｂの前端部内面には内方に突出するストッパ係合部７５ｄが形成されている。左右側壁部７５ａ，７５ｂの前部上端部を繋ぐようにカバー板７６がビス止め固定されており、左右および底壁部７５ａ，７５ｂ，７５ｃとカバー板７６に囲まれた矩形状開口を通って球排出ガイド部材７２がＵ字状の溝空間内に突出するようになっている。このカバー板７６の右端部には係合小孔７６ａが上下に貫通して形成されている。
【００２３】
このように蝶番７１ａにより前後に揺動可能に取り付けられた幕板７１の右端部を最も前に引き出した位置にあるときの状態を図６および図７（並びに図３の左側に示す島構造体１０に取り付けられたパチンコ機ＰＭ）に示しており、幕板７１を最も後に押し込んだ位置にあるときの状態を図５（および図３の右側に示す島構造体１０に取り付けられたパチンコ機ＰＭ）に示している。ここで、図６に示すように最も引き出した状態を幕板７１（および球排出ガイド部材７２）が開放位置にあると称し、図６および図７に示すように最も押し込んだ状態を幕板７１（および球排出ガイド部材７２）が閉塞位置にあると称する。
【００２４】
図６から良く分かるように、幕板７１および球排出ガイド部材７２が前方に引き出されるときにストッパ突起７４ａがストッパ係合部７５ｄと当接して開放位置に位置し、且つ後側の小突起７４ｂが係合小孔７６ａ内に入り込んで係合され、幕板７１はこれ以上前には移動できなくなる。このように開放位置に位置した状態では、図７に示すように、球排出ガイド部材７２の前面壁７３ａは下球皿装置５０の球排出孔５１ａより前側に位置し、樋状空間７２ａの前部が球排出孔５１ａの下方に位置し、球排出孔５１ａから排出された遊技球は樋状空間７２ａ内に落下する。球排出ガイド部材７２の底面壁７３ｃおよびガイド壁７５の底壁部７５ｃは図７に示すように後方に向かって下がるテーパ状に形成されており、樋状空間７２ａ内に落下した遊技球はこのテーパに沿って後方に転がってパチンコ機ＰＭの背面側に排出されるように構成されている。
【００２５】
図６のように開放位置にある状態から幕板７１の右側前面を後方に押すと、後側の小突起７４ｂと係合小孔７６ａとの係合が外れて蝶番７１ａを中心として幕板７１を後方に揺動させることができる。このようにして幕板７１を後方に揺動させると、図５に示すように、幕板７１の右端後面が右枠板２３の前端面に当接して幕板７１が閉塞位置に位置し、これ以上後方に揺動させることがでなくなる。このとき、前側の小突起７４ｃが係合小孔７６ａ内に入り込んで係合され、幕板７１は閉塞位置で仮止め保持される。このように幕板７１が閉塞位置に位置すると幕板７１が前枠２０の下側において外枠２０の枠空間を前面側から覆って閉塞する。
【００２６】
幕板７１の右端部にはロックキー７７が図示のように取り付けられており、前面側キー穴にキーを差し込んで回動させると、幕板７１の後側に位置してロックキー７７に取り付けられたロック板７７ａを、図４において破線で示す解錠位置と二点鎖線で示す施錠位置とに回動移動させることができるようになっている。上述のように幕板７１を開放位置に位置させたり、前後に開閉揺動させたりするときにはロック板７７ａを解錠位置に位置させておく。一方、幕板７１を閉塞位置に位置させた状態において、ロック板７７ａを施錠位置に移動させると、図５に示すようにロック板７７ａの先端が右枠板２３に形成されたロック溝２３ａ内に入り込み、幕板７１を前方に引き出すことができなくなり、幕板７１は閉塞位置でロック保持される。
【００２７】
以上の構成のパチンコ機ＰＭにおいて、遊技ホール側における点検整備等に際しては、幕板７１を前方に引き出して開放位置に位置させる。点検整備においては、入賞装置３８等に遊技球を投入して賞球の払出が正常に行えるか等の点検を行ったり、試し打ちをして正常な作動を行うかの点検を行ったりするため、上球皿部４１内に遊技球が払い出されて貯留される。このように貯留された遊技球は、遊技ホールを開店して遊技に供する前に回収する必要があるが、従来においては、このように上球皿部４１内に貯まった遊技球を上球皿装置４０の排出レバー４２を操作して下球皿部５１内に送り出し、さらに、下球皿部５１内に貯まった遊技球を操作レバー５３ａを操作して球排出孔５１ａから排出させ、天板１４上に置いた球回収箱に回収させたり、ガラス扉３３を開けてアウト口３９から背面側に排出させていた。
【００２８】
しかしながら、本発明に係る球排出ガイド装置７０を取り付けたときには、点検整備に際して上球皿部４１内に貯まった遊技球を、上球皿装置４０の排出レバー４２を操作して下球皿部５１内に送り出し、さらに、下球皿部５１内に貯まった遊技球を、操作レバー５３ａを操作して球排出孔５１ａから排出させると、この遊技球は開放位置に位置した幕板７１の後面に取り付けられた球排出ガイド部材７２の樋状空間７２ａ内に落下し、底面壁７３ｄ上を後方に転がり移動し、ガイド壁７５のＵ字状空間内に排出される。このとき、ガイド壁７５の底壁部７５ｃは後方に向かって下がるテーパを有して形成されており、底壁部７５ｃ上を後方に転がり移動してパチンコ機ＰＭの背面側に排出される。そして、図３に示すように、回収通路６上に落下し、回収通路６上を転がって移動して回収される。このため、球の回収作業が簡単で楽な作業となる。すなわち、点検整備において球皿に排出された遊技球を簡単に且つ手間なく回収でき、点検整備作業の効率化を図ることができる。
【００２９】
点検整備を行うときには、上球皿装置４０の排出レバー４２を開放側に保持し、下球皿装置５０の操作レバー５３ａも開放側に保持しておくのが好ましく、これにより点検整備時に球皿に排出される遊技球は全て背面側に自動的に排出され、球の回収作業が全く不要となる。また、長時間にわたる試し打ちを行って正常な作動の点検、出球率の点検等を行うときには、下球皿装置５０の操作レバー５３ａのみを開放側に保持するのが好ましい。これにより、発射ハンドル４５を球発射位置に固定しておけば、点検者がいなくても大当たり等が発生しても下球皿部５１内に遊技球が溢れることがなく、連続的な点検が可能となる。
【００３０】
このようにして点検整備が完了し、且つ球の回収作業が完了すると、幕板７１は後方に押し込まれて閉塞位置に位置し、パチンコ機ＰＭは遊技に供される状態となる。これにより、遊技中には幕板７１が前方に突出して邪魔になることもなく、従来と同一の遊技状態とすることができる。なお、遊技に供されるときには、ロックキー７７にキーを差し込んでロック板７７ａを施錠位置に回動させ、球排出ガイド部材７１を引き出せなくする。
【００３１】
なお、上記第１実施形態においては上球皿装置４０と下球皿装置５０とを有したパチンコ機を例にして示したが、一体型の一つの球皿を有したパチンコ機についても本発明を適用できることは無論である。また、ロックキーの形式および配設位置は上述のものに限られるものではない。
【００３２】
次に、本発明に係る第２実施形態としての球排出ガイド装置８０について、図８〜図１１を参照して説明する。
【００３３】
図９および図１０から分かるように、幕板８１は後面左右端部に後方に延びるガイドアーム８２，８３を一体に有する。これら左右ガイドアーム８２，８３の外側面には後方に延びてガイド突起８２ａ，８３ａが形成されており、これらガイド突起８２ａ，８３ａが左右枠板２２，２３の内面に前後に延びて形成されたガイド溝２２ａ，２３ａと嵌合して案内され、幕板８１が前後にスライド移動自在となっている。この幕板８１の後面中央に球排出ガイド部材８４が固設されている。球排出ガイド部材８４は前面壁８５、左右側面壁８６，８７、底面壁８８および後面壁８９を有して構成されている。但し、後面壁８９は後面上部のみを覆う形状であり、これら壁８５〜８９に囲まれて上面および後面下部が開孔した樋状空間８４ａが形成され、前面壁８５が幕板８１の後面に接合されて取り付けられている。なお、後面壁８９の上端は、左右側面壁８６，８７の上端面より上方に突出している。
【００３４】
一方、幕板８１が上述のように前後にスライド移動されるときに球排出ガイド部材８４を受け入れることが可能な位置に位置して下枠板２４の上面にガイド壁９３が設けられている。ガイド壁９３は、左右側壁部９４，９５および底壁部９６からなり、これら壁部９４，９５，９６に囲まれて前後に延びる上方に開放したＵ字状の溝空間内に球排出ガイド部材８４が位置する。左右側壁部９４，９５の前部上端部を繋ぐようにカバー板９７がビス止め固定されており、左右および底壁部９４，９５，９６とカバー板９７に囲まれた矩形状開口を通って球排出ガイド部材８４がＵ字状の溝空間内に突出するようになっている。このカバー板９７の後端中央部には前方に窪む凹部９７ａが形成されている。
【００３５】
このように前後にスライド移動可能に取り付けられた幕板８１を最も前に引き出した位置にあるときの状態を図１０および図１１に示しており、幕板８１を最も後に押し込んだ位置にあるときの状態を図９に示している。ここで、図１０および図１１に示すように最も引き出した状態を幕板８１（および球排出ガイド部材８４）が開放位置にあると称し、図９に示すように最も押し込んだ状態を幕板８１（および球排出ガイド部材８４）が閉塞位置にあると称する。
【００３６】
図１０および図１１から良く分かるように、幕板８１および球排出ガイド部材８４が前方に引き出されるときに球排出ガイド部材８４の後面壁８９の上部がカバー板９７の後端面と当接して開放位置に位置し、幕板８１はこれ以上前には移動できなくなる。このように開放位置に位置した状態では、図１１に示すように、球排出ガイド部材８４の前面壁８５は下球皿装置５０の球排出孔５１ａより前側に位置し、樋状空間８４ａの前部が球排出孔５１ａの下方に位置し、球排出孔５１ａから排出された遊技球は樋状空間８４ａ内に落下する。球排出ガイド部材８４の底面壁８８およびガイド壁９３の底壁部９６は図１１に示すように後方に向かって下がるテーパ状に形成されており、樋状空間８４ａ内に落下した遊技球はこのテーパに沿って後方に転がってパチンコ機ＰＭの背面側に排出されるように構成されている。
【００３７】
上記のように開放位置にある状態から幕板８１を後方に押すと、幕板８１を後方に揺動させることができる。このようにして幕板８１を後方に揺動させると、図９に示すように、幕板８１の左右端後面が左右枠板２２，２３の前端面に当接して幕板８１が閉塞位置に位置し、これ以上後方に揺動させることがでなくなる。このように幕板８１が閉塞位置に位置すると幕板８１が前枠２０の下側において外枠２０の枠空間を前面側から覆って閉塞する。
【００３８】
幕板８１の中央上部にはロックキー９０が図示のように取り付けられており、前面側キー穴にキーを差し込んで回動させると、幕板８１の後側に位置してロックキー９０に取り付けられたロック板９１を、図８において破線で示す解錠位置と二点鎖線で示す施錠位置とに回動移動させることができるようになっている。上述のように幕板８１を開放位置に位置させたり、前後に開閉揺動させたりするときにはロック板９１を解錠位置に位置させておく。一方、幕板８１を閉塞位置に位置させた状態において、ロック板９１を施錠位置に移動させると、ロック板９１の先端がカバー板９７の凹部９７ａ内に位置し、幕板８１を前方に引き出すことができなくなり、幕板８１は閉塞位置でロック保持される。
【００３９】
以上の構成のパチンコ機ＰＭにおいて、遊技ホール側における点検整備等に際しては、幕板８１を前方に引き出して開放位置に位置させる。そして、入賞装置３８等に遊技球を投入して賞球の払出が正常に行えるか等の点検を行ったり、試し打ちをして正常な作動を行うかの点検を行ったりすると、上球皿部４１内に遊技球が払い出されて貯留される。このように貯留された遊技球は、遊技ホールを開店して遊技に供する前に回収する必要があるため、上球皿部４１内に貯まった遊技球を上球皿装置４０の排出レバー４２を操作して下球皿部５１内に送り出し、さらに、下球皿部５１内に貯まった遊技球を、操作レバー５３ａを操作して球排出孔５１ａから排出させる。このように球排出孔５１ａから排出された遊技球は開放位置に位置した幕板８１の後面に取り付けられた球排出ガイド部材８４の樋状空間８４ａ内に落下し、底面壁８８上を後方に転がり移動し、ガイド壁９３のＵ字状空間内に排出されてその底壁部９６上を後方に転がり移動してパチンコ機ＰＭの背面側に排出される。そして、図３に示すように、回収通路６上に落下し、回収通路６上を転がって移動して回収される。このため、球の回収作業が簡単で楽な作業となる。すなわち、点検整備において球皿に排出された遊技球を簡単に且つ手間なく回収でき、点検整備作業の効率化を図ることができる。
【００４０】
なお、第１実施形態の場合と同様に、点検整備を行うときには、上球皿装置４０の排出レバー４２を開放側に保持し、下球皿装置５０の操作レバー５３ａも開放側に保持しておくのが好ましく、これにより点検整備時に球皿に排出される遊技球は全て背面側に自動的に排出され、球の回収作業が全く不要となる。また、長時間にわたる試し打ちを行って正常な作動の点検、出球率の点検等を行うときには、下球皿装置５０の操作レバー５３ａのみを開放側に保持しておけば、発射ハンドル４５を球発射位置に固定して試し打ちを行うときに、点検者がいなくて大当たり等が発生しても下球皿部５１内に遊技球が溢れることがなく、連続的な点検が可能となる。
【００４１】
このようにして点検整備が完了し、且つ球の回収作業が完了すると、幕板８１は後方に押し込まれて閉塞位置に位置し、パチンコ機ＰＭは遊技に供される状態となる。これにより、遊技中には幕板８１が前方に突出して邪魔になることもなく、従来と同一の遊技状態とすることができる。なお、遊技に供されるときには、ロックキー９０にキーを差し込んでロック板９１を施錠位置に回動させ、球排出ガイド部材８１を引き出せなくする。
【００４２】
なお、上記第１実施形態においては上球皿装置４０と下球皿装置５０とを有したパチンコ機を例にして示したが、一体型の一つの球皿を有したパチンコ機についても本発明を適用できることは無論である。また、ロックキーの形式および配設位置は上述のものに限られるものではない。
【図面の簡単な説明】
【００４３】
【図１】本発明に係るパチンコ機（弾球遊技機）を有して構成される遊技島構造を示す正面図である。
【図２】上記遊技島構造の背面図である。
【図３】上記遊技島構造の側面図である。
【図４】第１実施形態に係る球排出ガイド装置を取り付けた状態の上記パチンコ機の下部を示す正面図である。
【図５】第１実施形態に係る球排出ガイド装置を取り付けるとともに球排出ガイド部材を閉塞位置に位置させた状態の上記パチンコ機の下部を示す平面断面図である。
【図６】第１実施形態に係る球排出ガイド装置を取り付けるとともに球排出ガイド部材を開放位置に位置させた状態の上記パチンコ機の下部を示す平面断面図である。
【図７】第１実施形態に係る球排出ガイド装置を取り付けるとともに球排出ガイド部材を開放位置に位置させた状態の上記パチンコ機の下部を図４の矢印ＶII−ＶIIに沿って示す断面図である。
【図８】第２実施形態に係る球排出ガイド装置を取り付けた状態の上記パチンコ機の下部を示す正面図である。
【図９】第２実施形態に係る球排出ガイド装置を取り付けるとともに球排出ガイド部材を閉塞位置に位置させた状態の上記パチンコ機の下部を示す平面断面図である。
【図１０】第２実施形態に係る球排出ガイド装置を取り付けるとともに球排出ガイド部材を開放位置に位置させた状態の上記パチンコ機の下部を示す平面断面図である。
【図１１】第２実施形態に係る球排出ガイド装置を取り付けるとともに球排出ガイド部材を開放位置に位置させた状態の上記パチンコ機の下部を図８の矢印ＸＩ−ＸＩに沿って示す断面図である。
【符号の説明】
【００４４】
ＰＭ  パチンコ機
５  球回収空間
６  回収通路
１０  遊技島構造体
１３  保持枠
１４  天板
２０  外枠
２４  下枠板
３０  前枠
４０  上球皿装置
４２  排出レバー
５０  下球皿装置
５１  下球皿部
５１ａ  球排出孔
５３  球抜き蓋
５３ａ  操作レバー
７０，８０  球排出ガイド装置
７１，８１  幕板
７１ａ  蝶番（ヒンジ）
７２，８４  球排出ガイド部材
７２ａ，８４ａ  樋状空間
７５，９３  ガイド壁
７６，９７  カバー板
７７，９０  ロックキー
８２，８３  ガイドアーム
【図１】
2005287859.tif 000003
【図２】
2005287859.tif 000004
【図３】
2005287859.tif 000005
【図４】
2005287859.tif 000006
【図５】
2005287859.tif 000007
【図６】
2005287859.tif 000008
【図７】
2005287859.tif 000009
【図８】
2005287859.tif 000010
【図９】
2005287859.tif 000011
【図１０】
2005287859.tif 000012
【図１１】
2005287859.tif 000013